(57)【要約】      （修正有）【課題】ユーザーが自分で作品を仕上げる喜びと、その作品を窓ガラスなどの被転着体に飾って楽しむことができるとともに、同じ素材を使って繰り返し作品を作ることができる転着玩具を提供する。【解決手段】転着用シート２と、転着用シート２に着脱自在な粘着ピース３とを備えた転着玩具であって、転着用シート２の表面をシボ状に加工し、転着用シート２に粘着ピース３を貼着した状態で、粘着ピース３を窓ガラスなどの被転着体に圧接すると、粘着ピース３は転着用シート２から剥離して被転着体に転着するようにした。【選択図】図１
0003136910.tif 000002
【実用新案登録請求の範囲】
【請求項１】
転着用シートと、該転着用シートに着脱自在な粘着ピースとを備えた、以下の要件を備えたことを特徴とする転着玩具。
（イ）上記転着用シートの表面はシボ状に加工されていること
（ロ）上記転着用シートに上記粘着ピースを貼着した状態で、粘着ピースを窓ガラスなどの被転着体に圧接すると、上記粘着ピースは転着用シートから剥離して被転着体に転着されること
【請求項２】
前記転着用シートを透明又は半透明にし、下絵シートに重ねた状態で該下絵シートに描かれた絵柄等が視認できるようにした、請求項１記載の転着玩具。
【考案の詳細な説明】
【技術分野】
【０００１】
本考案は、転着玩具、詳しくは転着用シートに粘着ピースを貼り付けて絵柄などを形成し、貼り付けた粘着ピースを窓ガラスなどの被転着体に貼りかえることができる転着玩具に関するものである。
【背景技術】
【０００２】
従来、ガラスやタイルに接着剤を用いることなくシールを貼着して楽しむことができる遊戯具が提案されている（例えば、特許文献１）。この遊戯具は合成紙の表面に絵柄を印刷し、この絵柄の部分を合成紙から切り離し、濡らして窓ガラスなどに接着剤を用いることなく貼り付けることができるようにしたもので、剥離も容易にできるものであった。
【特許文献１】特開２００６−３４６０７６号公報
【考案の開示】
【考案が解決しようとする課題】
【０００３】
本考案が解決しようとする問題点は、上述の遊戯具は窓ガラスなどの被転着体に接着剤を用いることなく容易に貼り付けたり剥がしたりすることはできるが、シールには予め絵柄が印刷されているものでユーザーが自分で絵柄を作成するものではなく、特に年少者が自分で絵柄を仕上げる喜びや、自分が作成した絵柄を飾って楽しむことができるものではなかった。
【０００４】
本考案は、上記問題点を解決し、ユーザーが自分で絵柄を仕上げる喜びと、作成した絵柄を窓ガラスなどの被転着体に飾って楽しむことができるとともに、同じ素材を使って繰り返し絵柄を作ることができる転着玩具を提供することを課題とする。
【課題を解決するための手段】
【０００５】
前記課題を解決するために本考案に係る転着玩具は、転着用シートと、該転着用シートに着脱自在な粘着ピースとを備えた、以下の要件を備えたことを特徴とする。
（イ）上記転着用シートの表面はシボ状に加工されていること
（ロ）上記転着用シートに上記粘着ピースを貼着した状態で、粘着ピースを窓ガラスなどの被転着体に圧接すると、上記粘着ピースは転着用シートから剥離して被転着体に転着されること
【０００６】
なお、前記転着用シートを透明又は半透明にし、下絵シートに重ねた状態で該下絵シートに描かれた絵柄等が視認できるようにし、下絵シートに描かれた絵柄に合わせて転着用シートに粘着ピースを貼着できるようにすることが好ましい。
【考案の効果】
【０００７】
請求項１の考案によれば、粘着ピースを窓ガラスなどに直接貼り付けて絵柄を作成するのではなく、机の上などの絵柄を作成しやすい場所で転着用シートの上に粘着ピースを貼り付けて絵柄を作成し、作成した絵柄は転着用シートを窓ガラスなどの被転着体に押し付けると、転着用シートの表面は粘着ピースが剥がれやすいようにシボ状に加工されているので、窓ガラスなどの被転着体に容易に転着させることができる。しかも、粘着シールは窓ガラスから剥がして何度でも使うことができ、描き直しも容易に行なうことができる。
【０００８】
請求項２の考案によれば、転着用シートを透明又は半透明にしたので、この転着用シートを絵柄が描かれた下絵シートの上に重ねると、転着用シートを透して下絵シートの絵柄が視認できるので、その絵柄に合わせて粘着ピースを転着用シートに貼り付ければ下絵シートの絵柄と同じ絵柄を転着用シート上に作成することができるので、年少者でも容易に絵柄を作成することができ、その絵柄を窓ガラスなどに転着することができ自分の作製した絵柄をいつでも見ることができ情操教育にも優れた転着玩具を提供することができる。
【考案を実施するための最良の形態】
【０００９】
図１は本考案に係る転着玩具の一例を示し、この転着玩具は下絵Ａが描かれた下絵シート１と、この下絵シート１に重ねる転着用シート２と、下絵シート１に転着用シート２を重ねた状態で転着用シート２に貼着する多数の粘着ピース３とで構成されたものである。
【００１０】
上記転着用シート２は非フタル酸系ＰＶＣ（塩化ビニール）などの透明又は半透明なビニールシートで、表面はシボ状に加工されていればよい。
【００１１】
一方、粘着ピース３は、サーモプラスチックラバー（ＴＰＲ）と称されている熱可塑性ゴムで様々な色（例えば、粘着ピース３ａは茶色、３ｂは黄色、３ｃは薄黄色、３ｄは白色、３ｅは桃色、３ｆは黒色など）や、様々な形状（例えば、丸）に形成されたもので、この粘着ピース３は自身の粘着力で接着剤を用いることなくシールトレイ４上に貼り付けられており、このシールトレイ４から剥離して転着用シート２に簡単に貼り替えることができるようになっているもので、粘着ピース３を転着用シート２に貼り付けた状態で、転着用シート２を裏返して粘着ピース３をガラス窓などの被転着体６に対応させて押し付けると、粘着ピース３は転着用シート２から剥がれて被転着体６に貼り付くようになっているものである。
【００１２】
なお、シールトレイ４に粘着ピース３を貼り付けてある状態では粘着ピースの表面に埃などが付着し転着が正しくできなくなる恐れがあるので、表面は図示しない保護シートで覆われていればよい。
【００１３】
上記構成の転着玩具を使用するに際は、気に入った絵柄Ａの描かれた下絵シート１を選んで、この下絵シート１の上に転着用シート２を重ねる。この際、転着用シート２が下絵シート１からずれないように、接着テープ５やクリップ（図示せず）などの適宜の固定手段で固定すればよい。
【００１４】
次に、シールトレイ４の表面を保護している保護シートを外し、下絵シート１の絵柄Ａに合わせて粘着ピース３の色や形を選んで（例えば、黒色の粘着ピース３ｆ）、シールトレイ４から剥がして転着用シート２の上に順次貼りつける（図２参照）。
【００１５】
下絵シート１の絵柄Ａと同じになるように粘着ピース３を転着用シート２の上に貼り付けたならば（図３参照）、転着用シート２を下絵シート１から外し、転着用シート２を裏返しにして、粘着ピース３が前面に位置する状態にして、窓ガラスなどの被転着体６に転着用シート２を押し付けて転着用シート２の裏側から粘着ピース３を被転着体６に圧接する（図４（ａ）参照）。
【００１６】
転着用シート２の表面は粗面状に形成されているので、被転着体６が窓ガラスのように転着用シート２の表面より滑らかなものであれば、粘着ピース３の貼着力は転着用シート２よりも被転着体６の方が強くなるため、図４（ｂ）に示すように、転着用シート２の隅２ａを引き起こして徐々にガラス窓６から引き剥がすと、粘着ピース３は転着用シート２から剥離して窓ガラス６に貼着した状態になり、図４（ｃ）に示すように、全ての粘着ピース３は転着用シート２から剥離して窓ガラス６に転着することができる。
【００１７】
上述したように、下絵シート１に転着用シート２を重ね、その上に粘着ピース３を貼り付けることにより転着用シート２上に下絵シート１の絵柄Ａと同じ絵柄を作成することができるので、下絵シート１を見ながら窓ガラス６にひとつひとつ粘着ピース３を貼り付けるよりも簡単に絵柄を作成することができ、年少者でも絵柄を窓ガラスなどに転着することができ、転着した絵柄を楽しむことができる。
【００１８】
なお、上述の転着玩具は様々な絵柄Ａが表示された複数の下絵シート１と、様々な色の粘着ピース３が貼り付けられた複数のシールトレイ４を一組とし、その絵柄も男児が好むような絵柄で構成された男児用セット、女児が好むような絵柄で構成された女児用セットなどで構成されていればよい。
【００１９】
そして、上記被転着体６は窓ガラスに限定されるものではなく、粘着ピース３が貼りつくものであれば、鏡やフォトスタンド、冷蔵庫の前面などその表面が転着用シート２よりも滑らかであればその対象は限定されるものではない。
【図面の簡単な説明】
【００２０】
【図１】本考案に係る転着玩具の構成を説明する斜視図
【図２】転着用シートに粘着シールを貼り付ける状態の説明図
【図３】（ａ）（ｂ）は粘着シールを転着用シートに貼り付けた時の転着用シートと、シールトレイの状態の説明図
【図４】（ａ）〜（ｃ）は転着用シートに粘着した粘着ピースを被転着体に転着させる状態の説明図
【符号の説明】
【００２１】
１    下絵シート
２    転着用シート
３    粘着ピース
４    シールトレイ
６    被転着体
【図１】
0003136910.tif 000003
【図２】
0003136910.tif 000004
【図３】
0003136910.tif 000005
【図４】
0003136910.tif 000006